(57)【要約】【課題】装飾具に裏面側から表面側に貫通する空間を形成し、その空間内に芳香性液体を染み込ませたシート状の吸収体を保持させることによって、装飾具の表面、裏面の両側から芳香を放つことができ、かつ、芳香性液体を容易に補充可能とし、さらに、吸収体を本体に簡単に着脱できる芳香を放つ装飾具を提供する。【解決手段】芳香性液体（Ｌ）を染み込ませたシート状の吸収体（４０）が保持される保持空間（２２）である貫通孔（２１）が形成された本体部（２０）と、貫通孔の表面側の開口を覆い、貫通孔と連なり吸収体よりも小さく開口する通気孔（１１）が形成された表面部（１０）と、貫通孔の裏面側の開口を覆い、貫通孔と連なり吸収体よりも小さく開口する嵌入孔（３１）が形成された裏面部（３０）と、を有し、吸収体は、一時的に変形されることで嵌入孔を通して保持空間に着脱可能な柔軟性を有する。【選択図】図２
0003181615.tif 000002
【実用新案登録請求の範囲】
【請求項１】
表面側に装飾が施され、内部に芳香性液体（Ｌ）を染み込ませたシート状の吸収体（４０，４０３）を保持して芳香を放つ装飾具（１，２，３，４）であって、
前記吸収体が保持される保持空間（２２，２２３）である貫通孔（２１，２１３）が形成された本体部（２０，２０３，６０）と、
前記貫通孔の表面側の開口を覆い、該貫通孔と連なり前記吸収体よりも小さく開口する通気孔（１１，１１２，１１３，５１）が形成された表面部（１０，１０２，１０３，５０）と、
前記貫通孔の裏面側の開口を覆い、該貫通孔と連なり前記吸収体よりも小さく開口する嵌入孔（３１，３１２，３１３）が形成された裏面部（３０，３０２，３０３）と、を有し、
前記吸収体は、一時的に変形されることで前記嵌入孔を通して前記保持空間に着脱可能な柔軟性を有する、ことを特徴とする芳香を放つ装飾具。
【請求項２】
前記表面部（１０，１０２，１０３，５０）の複数の前記通気孔（１１，１１２，１１３，５１）が装飾の少なくとも一部を構成している、ことを特徴とする請求項１に記載の芳香を放つ装飾具。
【請求項３】
前記通気孔（１１，１１２，１１３，５１）の総面積が異なる前記表面部（１０，１０２，１０３，５０）を前記本体部（２０，２０３，６０）に交換可能に装着し得るように構成した、ことを特徴とする請求項１または２に記載の芳香を放つ装飾具。
【請求項４】
異なる装飾を施してなる前記表面部（１０，１０２，１０３，５０）を前記本体部（２０，２０３，６０）に交換可能に装着し得るように構成した、ことを特徴とする請求項１乃至３のいずれか１つに記載の芳香を放つ装飾具。
【請求項５】
異なる大きさの前記嵌入孔（３１，３１２，３１３）を有する前記裏面部（３０，３０２，３０３）を前記本体部（２０，２０３，６０）に交換可能に装着し得るように構成した、ことを特徴とする請求項１乃至４のいずれか１つに記載の芳香を放つ装飾具。
【請求項６】
前記表面部（１０，１０２，１０３，５０）、前記本体部（２０，２０３，６０）及び前記裏面部（３０，３０２，３０３）のうち少なくとも１つ以上が、２以上の部材からなる、ことを特徴とする請求項１乃至５のいずれか１つに記載の芳香を放つ装飾具。
【請求項７】
前記表面部（１０，１０２，１０３，５０）、前記本体部（２０，２０３，６０）及び前記裏面部（３０，３０２，３０３）のうち、少なくとも２つが一体的に成形される、ことを特徴とする請求項１乃至５のいずれか１つに記載の芳香を放つ装飾具。
【請求項８】
前記表面部（１０，１０２，１０３，５０）、前記本体部（２０，２０３，６０）及び前記裏面部（３０，３０２，３０３）は別体成形される、ことを特徴とする請求項１乃至５のいずれか１つに記載の芳香を放つ装飾具。
【考案の詳細な説明】
【技術分野】
【０００１】
本考案は、芳香性液体を染み込ませたシート状の吸収体を用いた芳香を放つ装飾具に関する。
【背景技術】
【０００２】
従来、芳香を発する装飾具としては、着脱可能または開閉可能に取り付けられた蓋を備えた装飾性を有する容器に、芳香性液体またはこれを含浸させた物を入れ、容器に形成された小さな孔から芳香を放つものが考案されている。また、装飾具に凹部を形成し、その凹部に芳香性液体を含浸させたものを取り付けて使用するもの等も考案されている。
【０００３】
容器を使用したものとしては、例えば特許文献１の実用新案登録第３１１６５４４号公報「芳香性装飾具」のように、装飾具の内部に形成した開口部を有する空洞部に液体香料を封入し、複数の芳香排出孔を形成した蓋体を開口部に着脱自在に螺合する芳香性装飾具が提案されている。
【０００４】
また、装飾具に凹部を形成したものとしては、例えば特許文献２の実用新案登録第３１２９１９４号公報「芳香を発散する装身具、身飾品」のように、装身具等の裏面に設けた凹溝に芳香性液体を注入、含浸させた金属粗体をネジ止め等により装着する装身具等が提案されている。
【特許文献１】実用新案登録第３１１６５４４号公報
【特許文献２】実用新案登録第３１２９１９４号公報
【考案の開示】
【考案が解決しようとする課題】
【０００５】
特許文献１の「芳香性装飾具」のように蓋を有する構成のものは、全体が見飾品としては大きくなり、その形状も限られてしまうため、装飾性に欠けるという問題があった。芳香性液体を充填する際には、蓋を着脱または開閉する必要があるが、その蓋は小さな部材からなるので着脱等しづらく、芳香性液体等を充填するための開口部が小さく手間がかかった。また、着脱可能なものでは蓋を紛失してしまったり、開閉可能なものでは力加減を誤り、蝶番等を壊してしまうことがあった。さらに、このような蓋を有する構成のものは、構造が複雑になるので、製造コストがかかった。
【０００６】
特許文献２の「芳香を発散する装身具、身飾品」は、装身具等の裏面側の凹部に芳香性液体を含浸させた金属粗体を取り付けるので、装身具等が身体に接している状態では、芳香の発散が妨げられるという問題があった。また、金属粗体をネジ止め等により固定装着させるため、金属粗体を交換することができなかった。
【０００７】
本考案は、上述したような問題を解決するために創案されたものである。すなわち、本考案の目的は、装飾具に裏面側から表面側に貫通する空間を形成し、その空間内に芳香性液体を染み込ませたシート状の吸収体を保持させることによって、装飾具の表面、裏面の両側から芳香を放つことができ、かつ、芳香性液体を容易に補充可能とし、さらに、吸収体を簡単に装飾具本体に着脱できる芳香を放つ装飾具を提供することにある。
【課題を解決するための手段】
【０００８】
本考案の芳香を放つ装飾具は、表面側に装飾が施され、内部に芳香性液体（Ｌ）を染み込ませたシート状の吸収体（４０，４０３）を保持して芳香を放つ装飾具（１，２，３，４）であって、前記吸収体が保持される保持空間（２２，２２３）である貫通孔（２１，２１３）が形成された本体部（２０，２０３，６０）と、前記貫通孔の表面側の開口を覆い、該貫通孔と連なり前記吸収体よりも小さく開口する通気孔（１１，１１２，１１３，５１）が形成された表面部（１０，１０２，１０３，５０）と、前記貫通孔の裏面側の開口を覆い、該貫通孔と連なり前記吸収体よりも小さく開口する嵌入孔（３１，３１２，３１３）が形成された裏面部（３０，３０２，３０３）と、を有し、前記吸収体は、一時的に変形されることで前記嵌入孔を通して前記保持空間に着脱可能な柔軟性を有することを特徴とする。
【０００９】
前記芳香を放つ装飾具において、前記表面部（１０，１０２，１０３，５０）の複数の前記通気孔（１１，１１２，１１３，５１）が装飾の少なくとも一部を構成するようにしてもよい。前記通気孔（１１，１１２，１１３，５１）の総面積が異なる前記表面部（１０，１０２，１０３，５０）を前記本体部（２０，２０３，６０）に交換可能に装着し得るように構成したり、異なる装飾を施してなる前記表面部（１０，１０２，１０３，５０）を前記本体部（２０，２０３，６０）に交換可能に装着し得るように構成してもよい。また、異なる大きさの前記嵌入孔（３１，３１２，３１３）を有する前記裏面部（３０，３０２，３０３）を前記本体部（２０，２０３，６０）に交換可能に装着し得るように構成することも好ましい。
【００１０】
前記芳香を放つ装飾具において、前記表面部（１０，１０２，１０３，５０）、前記本体部（２０，２０３，６０）及び前記裏面部（３０，３０２，３０３）のうち少なくとも１つ以上が、２以上の部材からなるように構成してもよい。また、前記表面部（１０，１０２，１０３，５０）、前記本体部（２０，２０３，６０）及び前記裏面部（３０，３０２，３０３）のうち少なくとも２つを一体的に成形してもよく、また、前記表面部（１０，１０２，１０３，５０）、前記本体部（２０，２０３，６０）及び前記裏面部（３０，３０２，３０３）を別体成形としても良い。
【考案の効果】
【００１１】
本考案の芳香を放つ装飾具（１，２，３，４）は、裏面側から表面側に貫通する空間内に芳香性液体（Ｌ）を染み込ませた吸収体（４０，４０３）を着脱可能に保持する構成とすることにより、装飾具（１，２，３，４）の表面側及び裏面側から芳香を放つことを可能とし、また、蓋を開ける等の手間の掛かる作業をすることなく芳香性液体（Ｌ）を補充することができるものである。吸収体（４０，４０３）を装飾具本体（１ａ，２ａ，３ａ，４ａ）に装着しない状態で身に付けることもでき、古くなったら新しいものに取り替えることも可能である。吸収体（４０，４０３）を複数用意すれば、Ｔ．Ｐ．Ｏ．に合った芳香性液体（Ｌ）を染み込ませたもの、ファッションに合った色や模様のものを選択して使用することができる。
【００１２】
また、吸収体（４０，４０３）を装飾具（１，２，３，４）の内部に保持するため、身体や衣類等に芳香性液体（Ｌ）が触れることがなく、皮膚のかぶれやしみを防ぐことができる。
蓋等の開閉部材を有する構造ではないので、芳香を放つ装飾具（１，２，３，４）は様々な外形を採用することが可能であり、幅広いデザインを施すことができる。さらに、簡単な構造であるので、量産化が可能であり、低コストで製造することができる。
【図面の簡単な説明】
【００１３】
【図１】実施例１の芳香を放つ装飾具を示す説明図であり、（ａ）は正面図、（ｂ）は背面図である。
【図２】実施例１の芳香を放つ装飾具を示す説明断面図であり、（ａ）は図１におけるＡ−Ａ線断面図であり、（ｂ）は（ａ）の分解図である。
【図３】実施例１の芳香を放つ装飾具の各部材を示す説明正面図であり、（ａ）は表面部材、（ｂ）は本体部材、（ｃ）は裏面部材、（ｄ）は吸収体である。
【図４】実施例１の芳香を放つ装飾具の第１の変形例である芳香を放つ装飾具を示す説明図であり、（ａ）は正面図、（ｂ）は背面図、（ｃ）は（ａ）におけるＢ−Ｂ線断面図、（ｄ）は（ｂ）におけるＣ−Ｃ線断面図である。
【図５】実施例１の芳香を放つ装飾具の第２の変形例である芳香を放つ装飾具を示す説明図であり、（ａ）は正面図、（ｂ）は背面図、（ｃ）は（ａ）におけるＤ−Ｄ線断面図である。
【図６】実施例２の芳香を放つ装飾具を示す説明図であり、（ａ）は表面部材の一方を取り付けた状態を示す正面図、（ｂ）は表面部材の他方を取り付けた状態を示す正面図、（ｃ）は（ａ）及び（ｂ）における背面図、（ｄ）は（ａ）及び（ｂ）におけるＥ−Ｅ線断面図である。
【考案を実施するための形態】
【００１４】
本考案の芳香を放つ装飾具は、装飾具本体に裏面側から表面側に貫通する空間を形成し、その空間内に芳香性液体を染み込ませたシート状の吸収体を着脱可能に嵌入し、保持させるものである。
【実施例１】
【００１５】
本考案の実施例１の芳香を放つ装飾具１について、図面を用いて説明する。  図１は実施例１の芳香を放つ装飾具１を示す説明図であり、（ａ）は正面図、（ｂ）は背面図である。図２は、実施例１の芳香を放つ装飾具１を示す説明断面図であり、（ａ）は図１におけるＡ−Ａ線断面図であり、（ｂ）は（ａ）の分解図である。図３は、実施例１の芳香を放つ装飾具１の各部材を示す説明正面図であり、（ａ）は表面部材１０、（ｂ）は本体部材２０、（ｃ）は裏面部材３０、（ｄ）は吸収体４０である。なお、表面側とは、装飾具を身につけた際に他人の目に触れる方向となる側をいい、裏面側とは、その逆の側をいう。
図１〜３に示すように、本考案の実施例１の芳香を放つ装飾具１は、香水やアロマオイル等の芳香性液体Ｌを染み込ませたシート状の吸収体４０と、この吸収体４０を保持するための保持空間２２である貫通孔２１が形成された本体部材２０と、本体部材２０の貫通孔２１の表面側の開口を覆う表面部材１０と、本体部材２０の貫通孔２１の裏面側の開口を覆う裏面部材３０とを有する。ここで、装飾具とは、ペンダント、指輪、ブレスレット、イヤリング等の身飾品の他、キーホルダー、携帯ストラップ、バックチャーム等の装飾小物をいう。
【００１６】
吸収体４０は略円盤形状であり、水分や油分の吸収性が高く、柔軟性のある素材からなり、変形してもすぐに一定の形状に戻る形態安定性を有する部材からなる。具体的には、天然繊維、再生繊維、合成繊維や、吸水性、吸油性を有する樹脂、合成皮革、紙等の素材からなるもの、またはこれらの素材を組み合わせたものである。例えば、芳香を放つ装飾具１のように表面部材１０の通気孔１１（詳細は後述）が比較的大きい場合には、模様や色のきれいな表地を使用したキルト（端処理したものが望ましい）等であることが好ましい。裏地も表地と同じまたは異なる模様等とすることにより、両面を使用することができる。なお、吸収体４０は、保持空間２２内で揺れるように、保持空間２２よりも若干小さい大きさとして模様が動くようにしてもよい。
【００１７】
本体部材２０は略環状の板状部材であり、その中央部に表面側から裏面側に貫通する貫通孔２１が形成されている。この貫通孔２１は、吸収体４０を保持するための保持空間２２であり、その中心軸に垂直な断面は吸収体４０と略同径の円形である。
【００１８】
表面部材１０は本体部材２０の貫通孔２１の表面側の開口を覆う略環状の板状部材であり、周縁に向かって徐々に厚さが薄くなるように形成されている。表面部材１０の外径は本体部材２０の外径と略同じ大きさであり、表面部材１０の中央部には、表面側から裏面側に貫通する通気孔１１が形成されている。通気孔１１は、その中心軸に垂直な断面が、本体部材２０の貫通孔２１の径よりも小さい径の略円形の孔である。また、この通気孔１１は、吸収体４０を保持する保持空間２２と連なるように設けられる。
【００１９】
裏面部材３０は本体部材２０の貫通孔２１の裏面側の開口を覆う略環状の板状部材であり、その外径は本体部材２０の外径と略同じ大きさとなっている。また、裏面部材３０の中央部には、表面側から裏面側に貫通する嵌入孔３１が形成されている。嵌入孔３１は、その中心軸に垂直な断面が、本体部材２０の貫通孔２１の径よりも小さい径の略円形の孔であり、また、この嵌入孔３１も、吸収体４０を保持する保持空間２２と連なるように設けられる。
【００２０】
芳香を放つ装飾具１の表面部材１０、本体部材２０及び裏面部材３０（以下、これら３つの部材を合わせて、装飾具本体１ａという）は接着剤等により正面から見て各部材の外周が一致するように接合される。よって、図２（ａ）等に示すように、表面部材１０の通気孔１１、本体部材２０の貫通孔２１、裏面部材３０の嵌入孔３１により、装飾具本体１ａの中央部分には、表面側から裏面側に貫ける空間が形成され、保持空間２２はその中央部に位置する。
【００２１】
吸収体４０は、接合された装飾具本体１ａの裏面部材３０の嵌入孔３１から保持空間２２である本体部材２０の貫通孔２１に着脱可能に配置される。具体的には、ピンセットや楊枝等を用いて吸収体４０を一時的に変形させて、保持空間２２に嵌め入れたり、保持空間２２から取り出したりする（図示せず）。保持空間２２に配置された吸収体４０は、図２（ａ）に示すように、貫通孔２１と通気孔１１の大きさの差により形成される段差ａによって表面側からの脱落を、また、貫通孔２１と嵌入孔３１の大きさの差により形成される段差ｂによって裏面側からの脱落を防止することができる。
なお、装飾具本体１ａに丸カンボルトＸを付け、それにチェーンＹを通すことで、ペンダントとして身に付けることができる。
【００２２】
図４は、芳香を放つ装飾具１の第１の変形例である芳香を放つ装飾具２を示す説明図であり、（ａ）は正面図、（ｂ）は背面図、（ｃ）は（ａ）におけるＢ−Ｂ線断面図、（ｄ）は（ｂ）におけるＣ−Ｃ線断面図である。なお、以下、芳香を放つ装飾具１と同様の形状、構成については、同様の符号を付す等して重複する説明を省略し、異なる部分についてのみ説明する。
芳香を放つ装飾具２の装飾具本体２ａは、表面部材１０２、本体部材２０、裏面部材３０２及び吸収体４０を備え、段差ａ２、段差ｂ２が貫通孔２１の周縁全体ではなく一部に設けられている点で、芳香を放つ装飾具１と異なる。また、表面部材１０２は４つの部材から、裏面部材３０２は２つの部材から構成されている。
【００２３】
図４に示すように、芳香を放つ装飾具２の表面部材１０２は、４つの略三角錐台形状の突出部材αからなる。この突出部材αの底面及び上面は中心角が鋭角の略扇形形状である。また、突出部材αの底面の円弧部分は、本体部材２０の外周と同じ曲率であり、４つの突出部材αは、円弧部分が本体部材２０の外周に沿うように本体部材２０の表面に放射状に配置、接合される。突出部材αの円弧から中心点までの長さは本体部材２０の径方向の長さよりも大きくなるように形成されている。
【００２４】
このような構成とすることにより、貫通孔２１の表面側には、貫通孔２１に連なる、略十字状の吸収体４０よりも小さい通気孔１１２が形成される。また、突出部材αの先端側は、貫通孔２１の表面側の中心方向に突出し、その一部を覆い、突出部材αと本体部材２０の中心方向への長さの違いにより形成される段差ａ２によって、吸収体４０の表面側からの脱落を防止することができる（図４（ｃ）等参照）。
表面部材１０２は、このように必ずしも１つの部材である必要はなく、複数の部材からなる構成とすることによって、表面部材１０２や通気孔１１２を様々な形状として、装飾性を高めることができる。図４（ａ）に示すように、芳香を放つ装飾具２では本体部材２０の表面の一部（ｐ）もデザイン構成の一部とすることができる。
【００２５】
芳香を放つ装飾具２の裏面部材３０２は、２つの弓形状の板状部材βからなる。この２つの板状部材βは、その円弧部分が本体部材２０の外周と同じ曲率であり、弦の長さは本体部材２０の外径よりも小さい。板状部材βは、円弧部分が本体部材２０の外周に沿って本体部材２０の裏面に対向するように配置、接合される。
２つの板状部材βによって形成される、芳香を放つ装飾具２の裏面部材３０２の嵌入孔３１２は、その中心軸に垂直な断面が横方向に長い略矩形の形状となる。具体的には、嵌入孔３１２の左辺及び右辺は本体部２０の貫通孔２１の内径と略同じ曲率の円弧で、嵌入孔３１２の上辺及び下辺は水平な直線であり、その距離は吸収体４０の径よりも小さい。
【００２６】
このような構成とすることにより、貫通孔２１の裏面側には、貫通孔２１に連なる、吸収体４０よりも小さい略矩形の嵌入孔３１２が形成される。また、各板状部材βの弦側は、貫通孔２１の裏面側の一部（上部側及び下部側）を覆い、鉛直方向における板状部材βと本体部材２０の中心方向への長さの違いにより形成される段差ｂ２によって、吸収体４０の裏面側からの脱落を防止することができる（図４（ｃ）参照）。
裏面部材３０２も、このように必ずしも１つの部材である必要はなく、複数の部材からなる構成とすることも可能である。貫通孔２１の周縁全体ではなく一部に設けられた段差ｂ２によって、吸収体４０を保持空間２２に保持するように構成することができる。
【００２７】
図５は、芳香を放つ装飾具１の第２の変形例である芳香を放つ装飾具３を示す説明図であり、（ａ）は正面図、（ｂ）は背面図、（ｃ）は（ａ）におけるＤ−Ｄ線断面図である。芳香を放つ装飾具３の装飾具本体３ａの表面部材１０３、本体部材２０３、裏面部材３０３及び吸収体４０３には、芳香を放つ装飾具１の装飾具本体１ａとは異なる形状の通気孔１１３、貫通孔２１３（保持空間２２３）及び嵌入孔３１３が形成されている。
【００２８】
図５に示すように、芳香を放つ装飾具３の吸収体４０３及び貫通孔２１３（保持空間２２３）は略同じ大きさの円錐台形状であり、貫通孔２１３（保持空間２２３）は表面側から裏面側に向って徐々に細くなるように形成されている。また嵌入孔３１３も、円錐台形状で表面側から裏面側に向って徐々に細くなるように形成され、その嵌入孔３１３の表面側の開口部の大きさは貫通孔２１３の裏面側の開口部の大きさと同じ大きさになるように形成されている。このような構成とすることにより、貫通孔２１３の裏面側の周縁に段差ｂを設けることなく、吸収体４０３を貫通孔２１３から嵌め入れ、保持空間２２３に保持することができる。なお、貫通孔２１３の表面側には、段差ａ３が設けられているが、吸収体４０３及び貫通孔２１３（保持空間２２３）をそろばん玉のような形状として、貫通孔２１３の裏面側と同様、段差ａ３を設けないように構成することも可能である。
【００２９】
芳香を放つ装飾具３の表面部材１０３は、吸収体４０３としてフェルト等の装飾性に乏しい素材や模様の施されていないものを使用する場合を主に想定したものである。人目に触れる部分を小さくするために、表面部材１０３の通気孔１１３を小さな星型とし、通気孔１１３自体に装飾性を持たせ、かつ、表面部材１０３の表面側に通気孔１１３の各頂点から周縁に向かう略８の字状の彫刻を施すことにより、装飾具本体３ａを全体として装飾性の高いデザインとすることができる。なお、コットンパフ等を切り抜いたものを吸収体４０３として使用し、使い捨てとしてもよい。
【００３０】
本考案の芳香を放つ装飾具１〜３は、保持空間２２，２２３の表面側を、吸収体４０，４０３よりも小さい開口部を有する通気孔１１，１１２，１１３が形成された表面部材１０，１０２，１０３で、また、裏面側を吸収体４０，４０３よりも小さい開口部を有する嵌入孔３１，３１２，３１３が形成された裏面部材３０，３０２，３０３で覆うことにより、吸収体４０，４０３を保持空間２２，２２３に保持できるように構成したものである。吸収体４０，４０３は、表面部材１０，１０２，１０３の周縁（段差ａ，ａ２）と、裏面部材３０，３０２，３０３の周縁（段差ｂ，ｂ２等）により保持空間２２，２２３からの脱落が妨げられ、身体の動きに伴い装飾具本体１ａ，２ａ，３ａが揺れても外れることがない。なお、本実施例ではペンダントを例にあげて説明したが、これに限らず指輪、ブレスレット、イヤリング等の他の身飾品、キーホルダー、携帯ストラップ、バックチャーム等の装飾小物にも、これらの構成を利用することができる。
【００３１】
本考案の芳香を放つ装飾具１〜３によれば、表面部材１０，１０２，１０３に、吸収体４０，４０３を保持する保持空間２２，２２３に連なる通気孔１１，１１２，１１３を設けているので、装飾具本体１ａ〜３ａの表面側から芳香を放つことができる。また、裏面部材３０，３０２，３０３にも、吸収体４０，４０３を保持する保持空間２２，２２３に連なる嵌入孔３１，３１２，３１３を設けているので、装飾具本体１ａ〜３ａの裏面からも芳香を放つことができる。
【００３２】
さらに、装飾具本体１ａ〜３ａが身体に沿うような状態であるときには、体温によって温められた空気が、嵌入孔３１，３１２，３１３から保持空間２２，２２３を通り、通気孔１１，１１２，１１３側へ抜けるので、より効果的に芳香を放つことができる。また、人の動きにより装飾具本体１ａ〜３ａが身体から浮いた状態で揺れたりしているときには、同様に嵌入孔３１，３１２，３１３側から通気孔１１，１１２，１１３側へ、またはその逆の方向へ空気が抜けるので、この場合でも効果的に芳香を放つことができる。特に、吸収体４０，４０３に通気性を有する素材を採用したり、保持空間２２，２２３よりも若干小さい吸収体４０，４０３を使用し、吸収体４０，４０３と保持空間２２，２２３との間に空隙ができるような構成とすることによって、このような効果が得られやすくなる。
【００３３】
芳香を放つ装飾具１〜３によれば、芳香性液体Ｌを、吸収体４０，４０３を保持空間２２，２２３に配置した状態のままで、裏面部材３０，３０２，３０３に設けられた嵌入孔３１，３１２，３１３から、スポイト等で補充することができる。蓋を着脱したり、開閉する作業が不要であるので、容易に芳香性液体Ｌを補充することができる。また、嵌入孔３１，３１２，３１３から吸収体４０，４０３をピンセットや楊枝等で一時的に変形させて容易に出し入れすることができるので、取り出した後に芳香性液体Ｌを補充することもできる。
【００３４】
吸収体４０，４０３が着脱可能に取り付けられるので、食事をする場面等、香りが邪魔になるときには、取り外して装飾具本体１ａ〜３ａのみとすることができる。また、吸収体４０，４０３が古くなって色が褪せる等した場合には、容易に新しいものと取り替えることができる。
本体部材２０，２０３の保持空間２２，２２３に保持された吸収体４０，４０３は、表面側の表面部材１０，１０２，１０３と裏面側の裏面部材３０，３０２，３０３とで挟み込まれるので、身体や衣服に接触することがなく、皮膚がかぶれたり衣服にしみが付いたりするのを防ぐことができる。
【００３５】
複数の吸収体４０，４０３を備えた構成とすれば、それぞれに異なる芳香性液体Ｌを吸収させることも可能であり、Ｔ．Ｐ．Ｏ．に合わせて容易に交換して使用することができる。また、表面側に位置する面の模様や色、素材が異なる複数の吸収体４０，４０３を備えることにより、芳香だけでなく、服装に合った模様等の吸収体４０，４０３を選択し使用することが可能である。
【００３６】
芳香を放つ装飾具１〜３の各部材の形状、大きさ、構成等は、上述した実施例に限られず、本実施例の要旨を逸脱しない範囲で種々変更できる。例えば、表面部材１０，１０２，１０３、本体部材２０，２０３、裏面部材３０，３０２，３０３の外形は円形としたが、これに限らず、多角形、ハート形、木の葉形等様々な形状とすることができる。また、表面部材１０，１０２，１０３、本体部材２０，２０３、裏面部材３０，３０２，３０３は、それぞれの外形の形状が異なるものであってもよく、例えば、表面部材１０等の接合により装飾具本体１ａ，２ａ，３ａが略球冠形状となるようにしてもよい。
【００３７】
また、通気孔１１，１１２，１１３、貫通孔２１，２１３、嵌入孔３１，３１２，３１３の孔の形状、吸収体４０，４０３の形状は、上述した形状に限らず、吸収体４０，４０３の脱落を防ぐことができ、嵌入孔３１，３１２，３１３から着脱可能に配置することができればよい。例えば、その中心軸に垂直な断面の形状が、例えば、多角形や星型である等様々な形状を採用することができる。また、通気孔１１，１１２，１１３、貫通孔２１，２１３、嵌入孔３１，３１２，３１３の孔の形状は、実施例１の芳香を放つ装飾具１のように同じ形状（円形）であってもよいが、変形例１，２の芳香を放つ装飾具２，３に示すように異なる形状であったり、通気孔１１，１１２，１１３、貫通孔２１，２１３、嵌入孔３１，３１２，３１３の大きさ等も様々に構成することができる。
【００３８】
芳香を放つ装飾具１〜３においては、通気孔１１，１１２，１１３、貫通孔２１，２１３、嵌入孔３１，３１２，３１３をそれぞれ表面部材１０，１０２，１０３、本体部材２０，２０３、裏面部材３０，３０２，３０３の略中央に設けたが、通気孔１１，１１２，１１３、貫通孔２１，２１３、嵌入孔３１，３１２，３１３が連なるように設けられ、保持空間２２，２２３（貫通孔２１，２１３）に吸収体４０，４０３が着脱可能に嵌入でき、脱落しないように構成されていれば、これに限らない。
【００３９】
表面部材１０，１０２，１０３、本体部材２０，２０３、裏面部材３０，３０２，３０３には、木製、樹脂製、金属製、セラミックス製等様々な素材を使用することができる。
芳香を放つ装飾具２のように、表面部材１０，１０２，１０３や裏面部材３０，３０２，３０３は２以上の部材から構成してもよく、本体部材２０，２０３も２以上の部材から構成してもよい。また、表面部材１０，１０２，１０３、本体部材２０，２０３、裏面部材３０，３０２，３０３を別体成形としたが、これらの部材のうちの２以上の部材を一体成形として作製してもよい。通気孔１１，１１２，１１３、貫通孔２１，２１３、嵌入孔３１，３１２，３１３が連なるように設けられ、保持空間２２，２２３（貫通孔２１，２１３）に吸収体４０，４０３が着脱可能に嵌入でき、脱落しないように全体が構成されていれば、表面部材１０，１０２，１０３、本体部材２０，２０３、裏面部材３０，３０２，３０３それぞれをどのように分割して別体成形としてもよいし、それらの任意の部分を組み合わせて一体成形としてもよく、任意の形状の部材から構成することができる。さらに、芳香を放つ装飾具１〜３においては、保持空間２２，２２３をそれぞれ１つ設けたが、２つ以上設けてよい。
【００４０】
芳香を放つ装飾具１〜３は、蓋を有する構成ではないので、その外形や大きさについての制約が少なく、様々な素材、様々な形状の部材により、幅広いデザインを施すことが可能である。また、芳香性液体Ｌを染み込ませた吸収体４０，４０３自体をデザインの一部をして採用することによって、表面からも芳香を放つことができる。簡単な構造であるので、量産化が可能であり、製造コストを低減し得る。
【実施例２】
【００４１】
次に本考案の実施例２の芳香を放つ装飾具４について、図面に基づいて説明する。図６は本考案の実施例２の芳香を放つ装飾具４を示す説明図であり、（ａ）は表面部材５０の一方（５０ａ）を取り付けた状態を示す正面図、（ｂ）は表面部材５０の他方（５０ｂ）を取り付けた状態を示す正面図、（ｃ）は（ａ）及び（ｂ）における背面図、（ｄ）は（ａ）及び（ｂ）におけるＥ−Ｅ線断面図である。
実施例２の芳香を放つ装飾具４は装飾具本体４ａと吸収体４０を備え、装飾具本体４ａは、デザインの異なる表面部材５０（５０ａ，５０ｂ）、本体部材６０及び裏面部材３０を有する。表面部材５０を複数有し、着脱可能に本体部材６０に取り付けることができる点で、実施例１の芳香を放つ装飾具１〜３と異なる。また、この表面部材５０は複数の通気孔５１を有しており、これらをデザインとしても利用し装飾性を高めたものである。
【００４２】
装飾具本体４ａの本体部材６０は、表面側に、上下２箇所に表面部材５０を着脱可能に取り付けるための係止凹部γが設けられている以外は、装飾具本体１ａの本体部材２０と同じである。中央部に形成された貫通孔２１により、吸収体４０を保持する保持空間２２が設けられている。
【００４３】
また、装飾具本体４ａの表面部材５０（５０ａ，５０ｂ）はそれぞれ異なった雪の結晶の形状を模したものであり、複数の通気孔５１（５１ａ，５１ｂ）を有する。また、表面部材５０ａは、表面部材５０ｂに比べて、通気孔５１の全体の面積が大きくなるように形作られている。表面部材５０ａ，５０ｂの裏面側には、それぞれ本体部材６０の係止凹部γに対応する位置に係合する係止凸部δが設けられており、本体部材６０に交換可能に係止される。
【００４４】
芳香を放つ装飾具４は、本体部材６０と裏面部材３０を接合し、表面部材５０を取り付けた後に、裏面部材３０の嵌入孔３１から保持空間２２に芳香性液体Ｌを染み込ませた吸収体４０を嵌め入れる。または、本体部材６０と裏面部材３０を接合し、本体部材６０の表面側から保持空間２２に芳香性液体Ｌを染み込ませた吸収体４０を入れて、表面部材５０を取り付けて使用する。芳香性液体Ｌが蒸発してしまった際には、裏面部材３０の嵌入孔３１から吸収体４０に補充することができ、また、表面部材５０を取り付けたまま、保持空間２２にある吸収体４０を嵌入孔３１から出して補充することができる。
表面部材５０ａを表面部材５０ｂに交換する際には、保持空間２２にある吸収体４０を本体部材６０の表面側から出し入れすることもできる。
【００４５】
実施例２の芳香を放つ装飾具４によれば、実施例１の芳香を放つ装飾具１〜３において述べた効果の他に、以下のような効果がある。
表面部材５０を複数備え、交換可能な構成とすることにより、様々な装飾性のある表面部材５０を適宜選択して装飾具本体４ａの表面側に取り付け、楽しむことができる。また、通気孔５１の全体の大きさにより、放たれる芳香の量を調節することも可能となる。
【００４６】
芳香を放つ装飾具４の各部材の形状、大きさ、数、構成等は、上述した実施例に限られず、本実施例の要旨を逸脱しない範囲で種々変更できるのは、実施例１の芳香を放つ装飾具１〜３と同様である。表面部材５０は、何かの形状を模したものに限らず、多数の通気孔５１を持つ構造であれば、例えば格子状構造、細かい孔を有するスカシ構造等様々な構造や形状を採用することができ、これらを組み合わせたものでもよい。
【００４７】
係止凹部γ及び係止凸部∂の位置、数等も、表面部材５０を本体部材６０に着脱可能に取り付けることができれば、上述した実施例に限らず、様々な位置、数、係止機構等を採用することができる。本実施例では、表面部材５０を本体部材６０に交換可能に取り付けられる構成としたが、表面部材５０と本体部材６０とを一体形成し、裏面部材３０に交換可能に取り付けられる構成としてもよい。
【００４８】
また、本実施例では、表面部材５０を複数備えて交換可能な構成としたが、異なる大きさの嵌入孔３１を有する裏面部材３０を複数備えて交換可能とするように構成してもよい（図示せず）。嵌入孔３１の大きさにより、放たれる芳香の量を調節することが可能となる。
【産業上の利用可能性】
【００４９】
本考案の芳香を放つ装飾具の構成は、装飾具に限らず、芳香性液体を利用する様々な製品に用いることができる。
【符号の説明】
【００５０】
１，２，３，４              芳香を放つ装飾具
１ａ，２ａ，３ａ，４ａ      装飾具本体
１０，１０２，１０３，５０ 表面部材
１１，１１２，１１３，５１ 通気孔
２０，２０３，６０       本体部材
２１，２１３                貫通孔
２２，２２３                保持空間
３０，３０２，３０３    裏面部材
３１，３１２，３１３    嵌入孔
４０，４０３                吸収体
ａ，ａ２，ａ３，ｂ，ｂ２    段差
α                          突出部材
β                          板状部材
γ                          係止凹部
δ                          係止凸部
Ｌ                          芳香性液体
【図１】
0003181615.tif 000003
【図２】
0003181615.tif 000004
【図３】
0003181615.tif 000005
【図４】
0003181615.tif 000006
【図５】
0003181615.tif 000007
【図６】
0003181615.tif 000008